(57)【要約】【課題】メディア表面にぼやけた箇所のない絵図又は／及び文字をプリント可能な、ＵＶインク使用のインクジェットプリンタを提供する。【解決手段】ＵＶプロセスカラーインク滴を噴射させる絵図又は／及び文字プリント用のインクジェットヘッド３０と、ＵＶプライマー材用のインク滴を噴射させる下塗り層プリント用のインクジェットヘッド３００とを備えて、下塗り層プリント用のインクジェットヘッド３００から噴射させるＵＶプライマー材用のインク滴により、メディア１０表面に複数のＵＶプライマー材用のインクのドットの配列からなる下塗り層をプリントする。次いで、絵図又は／及び文字プリント用のインクジェットヘッド３０から噴射させるＵＶプロセスカラーインク滴により、その下塗り層表面に複数のＵＶプロセスカラーインクのドットの配列からなる絵図又は／及び文字をプリントする。【選択図】        図１
2005007577.tif 000002
【特許請求の範囲】
【請求項１】
プラテン上に搭載されたメディア上方をプラテン表面とほぼ平行なＸ−Ｙ方向に相対的に移動させるインクジェットヘッドから噴射させてプラテン上に搭載されたメディア表面に着弾させるＵＶインク滴にＵＶ照射手段により紫外線を照射して、そのＵＶインク滴をメディア表面で硬化させるインクジェットプリンタであって、
前記インクジェットヘッドが、ＵＶプロセスカラーインク滴を噴射させる絵図又は／及び文字プリント用のインクジェットヘッドと、ＵＶプライマー材用のインク滴を噴射させる下塗り層プリント用のインクジェットヘッドとを共に備えていることを特徴とするＵＶインク使用のインクジェットプリンタ。
【請求項２】
前記インクジェットプリンタが、搬送手段によりメディアをプラテン上をＸ方向に搬送したり、インクジェットヘッドをプラテン上方をＹ方向に走行させたりすることにより、前記インクジェットヘッドをプラテン上に搭載されたメディア上方をＸ−Ｙ方向に相対的に移動させる構造に構成され、
前記絵図又は／及び文字プリント用のインクジェットヘッドと、下塗り層プリント用のインクジェットヘッドとが、一体となって、プラテン上に搭載されたメディア上方をプラテン表面とほぼ平行なＸ−Ｙ方向に相対的に移動する構造をしていることを特徴とする請求項１記載のＵＶインク使用のインクジェットプリンタ。
【請求項３】
前記インクジェットプリンタが、搬送手段によりメディアをプラテン上をＸ方向に搬送したり、インクジェットヘッドをプラテン上方をＹ方向に走行させたりすることにより、前記インクジェットヘッドをプラテン上に搭載されたメディア上方をＸ−Ｙ方向に相対的に移動させる構造に構成され、
前記絵図又は／及び文字プリント用のインクジェットヘッドと、下塗り層プリント用のインクジェットヘッドとが、それぞれ別個に独立して、プラテン上に搭載されたメディア上方をプラテン表面とほぼ平行なＸ−Ｙ方向に相対的に移動する構造をしていることを特徴とする請求項１記載のＵＶインク使用のインクジェットプリンタ。
【請求項４】
請求項１、２又は３記載のインクジェットプリンタを用いた絵図又は／及び文字のプリント方法であって、
プラテン上に搭載されたメディア上方をＸ−Ｙ方向に相対的に移動させる前記下塗り層プリント用のインクジェットヘッドから噴射させてプラテン上に搭載されたメディア表面に着弾させるＵＶプライマー材用のインク滴にＵＶ照射手段により紫外線を照射して、そのインク滴を硬化させることにより、そのメディア表面に複数のＵＶインクのドットの配列からなる下塗り層をプリントする第１ステップと、そのプラテン上に搭載されたメディアの前記下塗り層がプリントされた部分上方をＸ−Ｙ方向に相対的に移動させる前記絵図又は／及び文字プリント用のインクジェットヘッドから噴射させてプラテン上に搭載されたメディアの下塗り層上に着弾させるＵＶプロセスカラーインク滴にＵＶ照射手段により紫外線を照射して、そのインク滴を硬化させることにより、そのメディアの下塗り層表面に複数のＵＶプロセスカラーインクのドットの配列からなる絵図又は／及び文字をプリントする第２ステップとを含むことを特徴とするＵＶインク使用のインクジェットプリンタを用いた絵図又は／及び文字のプリント方法。
【発明の詳細な説明】
【０００１】
【発明の属する技術分野】
本発明は、インクジェットヘッドから噴射させてメディア表面に着弾させたＵＶ（Ｕｌｔｒａ  Ｖｉｏｌｅｔ）インク滴に紫外線を照射して、そのインク滴をメディア表面で硬化させる、ＵＶインク使用のインクジェットプリンタと、該プリンタを用いたプリント方法とに関する。
【０００２】
【従来の技術】
図７と図８に示したような、プラテン２０上に搭載されたメディア１０上方をプラテン２０表面とほぼ平行なＸ−Ｙ方向（図８の前後方向と左右方向）に相対的に移動させるインクジェットヘッド３０下面に並ぶノズル３２からインク滴を噴射させて、そのインク滴をプラテン２０上に搭載されたシート等のメディア１０表面にドット状に着弾させる、インクジェットプリンタが周知である。このプリンタによれば、そのプラテン２０上に搭載されたメディア１０表面に、複数のインクのドットの配列からなる絵図又は／及び文字をプリントできる。図７と図８において、４０は、メディア１０をプラテン２０上をＸ方向に搬送する搬送手段である。図７と図８のインクジェットプリンタでは、インクジェットヘッド３０をＹ方向に走行させたり、メディア１０を搬送手段４０によりＸ方向に移動させたりして、インクジェットヘッド３０をプラテン２０上に搭載されたメディア１０上方をＸ−Ｙ方向に相対的に移動させている。
【０００３】
このプリンタにおいては、近時、そのインクジェットヘッド３０に供給するインクに、紫外線を照射すると硬化するＵＶインクを使用するインクジェットプリンタが開発され、使用されている。
このＵＶインクを使用するプリンタには、図８に示したように、そのインクジェットヘッド３０から噴射させてメディア１０表面に着弾させたＵＶインク滴に、紫外線を照射して、そのＵＶインク滴をメディア１０表面で硬化させるための、ＵＶ照射手段６０が、インクジェットヘッド３０両脇等に備えられている。
このプリンタによれば、そのＵＶ照射手段６０を用いて、メディア１０表面に着弾させたＵＶインク滴を硬化させて、そのメディア１０表面に耐候性、耐水性を持つＵＶインクのドットを形成できる。そして、そのメディア１０表面に複数のＵＶインクのドットの配列からなる、耐候性、耐水性に優れた絵図又は／及び文字をプリントできる。
このＵＶインクを用いて絵図又は／及び文字がプリントされたメディア１０は、耐候性、耐水性が要求される屋外広告等に使用される。
【０００４】
このＵＶインク使用のインクジェットプリンタは、一般に、図８に示したように、そのインクジェットヘッドが、Ｙ（イエロー；黄）、Ｍ（マゼンタ；赤）、Ｃ（シアン；青）、Ｋ（ブラック；黒）の基本色、又はそれに加えて補助色のＬＭ（ライトマゼンタ；明るい赤）、ＬＣ（ライトシアン；明るい青）等の互いに異なる色のＵＶプロセスカラーインク滴を噴射させる絵図又は／及び文字プリント用の複数のインクジェットヘッド３０が、Ｙ方向に一列に並べて一体に走行可能に備えられている。
この互いに異なる色のＵＶプロセスカラーインク滴を噴射させるの複数のインクジェットヘッド３０が一列に並べて備えられたプリンタにより、メディア１０表面に様々の色の絵図又は／及び文字をプリントする場合には、その１つのインクジェットヘッド３０から噴射させてメディア１０表面に着弾させた例えばＹ色のＵＶインク滴上に、他の１つ以上のインクジェットヘッド３０から噴射させた例えばＭ色又は／及びＣ色等のＵＶインク滴を順に重ねて着弾させている。そして、そのメディア１０表面に１つ以上重ねて着弾させたＹ色、Ｍ色又は／及びＣ色等のＵＶプロセスカラーインク滴により、それらのＵＶプロセスカラーインク滴の中間色等のインクのドットをメディア１０表面に形成している。そして、そのメディア１０表面にドット状に順に重ねて着弾させた互いに異なる１色以上のＵＶインク滴により、メディア１０表面に様々の色の絵図又は／及び文字をプリントしている。
【０００５】
このＵＶインク使用のプリンタにより絵図又は／及び文字をプリントするメディア１０には、その表面にインク受容層やインク吸収層が形成されていない、インクが吸収されにくいインク非吸収のメディアが主として使用される。
その理由は、ＵＶインクは、インク受容層を持たないメディア１０であっても、メディア１０着弾後に、紫外線を照射すると、瞬時に硬化し、メディア１０上に定着するという特性を有しているからである。
【０００６】
【発明が解決しようとする課題】
ところで、上記のような、Ｙ、Ｍ、Ｃ、Ｋ等の互いに異なる色のＵＶインク滴を噴射させる複数のインクジェットヘッド３０をＹ方向に一列に並べて持つインクジェットプリンタにより、インク受容層やインク吸収層が形成されていない、インク非吸収のメディア１０表面に異なる色のＵＶインク滴をドット状に順に重ねて着弾させた場合には、図９や図１０に示したように、そのメディア１０表面に初回に着弾させた所定色のＵＶインク滴７０のドットゲイン（ドットの大きさ）が、その初回のＵＶインク滴７０上に次回以降に順に重ねて着弾させる他色のＵＶインク滴７２のドットゲインよりも、大きくなったり、小さくなったりした。
具体的には、そのインク非吸収性のメディア１０表面がＵＶインク滴に対しての濡れ性が大きいと、そのメディア１０表面に初回に直接に着弾させたＵＶインク滴７０が、図９に示したように、その着弾箇所周囲のメディア１０表面に大きく広がってしまった。そして、そのメディア１０表面に初回に着弾させたＵＶインク滴７０の径が、その初回のインク滴７０上に重ねて順に着弾させる次回以降のＵＶインク滴７２の径に比べて、大きくなってしまった。逆に、そのインク非吸収性のメディア１０表面がＵＶインク滴に対しての濡れ性が小さいと、そのメディア１０表面に初回に直接に着弾させたＵＶインク滴７０が、図１０に示したように、その着弾箇所周囲のメディア１０表面に広がらずに、そのメディア１０表面に初回に着弾させたＵＶインク滴７０の径が、その初回のＵＶインク滴７０上に次回以降に順に重ねて着弾させるＵＶインク滴７２の径に比べて、小さいものとなってしまった。
その結果、そのメディア１０表面に順に重ねて着弾させた複数の異なる色のＵＶインク滴７０、７２により、そのメディア１０表面に形成されるＵＶインクのドットの色が、その周辺がぼやける等した、所望色とは異なる色なってしまった。そして、そのメディア１０表面に順に重ねて着弾させた複数の異なる色のＵＶインク滴７０、７２により、メディア１０表面にプリントされる複数のＵＶインクのドットの配列からなる絵図又は／及び文字が，所望色とは異なるぼやけた色等になってしまった。
【０００７】
そこで、本発明者は、鋭意研究の結果、このような課題を解決するためには、そのＵＶインク滴を着弾させる、様々の種類のインク非吸収性のメディア１０表面に、メディア１０表面のＵＶインク滴に対しての濡れ性を一定に保持するための下塗り層（図示せず）を予めプリントして、そのメディア１０にプリントされた下塗り層表面にＵＶインク滴を着弾させれば良いことに、想到した。そして、そのためには、Ｙ、Ｍ、Ｃ、Ｋ等のＵＶプロセスカラーインク滴を噴射させる絵図又は／及び文字プリント用のインクジェットヘッド３０に加えて、Ｗ（ホワイト；白）又は透明のＵＶプライマー材用のインク滴を噴射させる下塗り層プリント用のインクジェットヘッドを、ＵＶインク使用のインクジェットプリンタに備えれば良いことに、想到した。そして、その下塗り層プリント用のインクジェットヘッドから噴射させるＵＶプライマー材用のインク滴により、絵図又は／及び文字がプリントされるインク非吸収性のメディア１０表面に、下塗り層を予めプリントできるようにすれば良いことに、想到した。
【０００８】
即ち、本発明は、インク非吸収性のメディア表面のＵＶインクに対しての濡れ性を一定に保持するための、下塗り層プリント用のインクジェットヘッドが備えられたインクジェットプリンタであって、インク非吸収性のメディア表面にぼやけた箇所のない所望色の絵図又は／及び文字を的確にプリント可能な、ＵＶインク使用のインクジェットプリンタ（以下、単にインクジェットプリンタという）と、インク非吸収性のメディア表面にぼやけた箇所のない所望色の絵図又は／及び文字を的確にプリント可能な、上記インクジェットプリンタを用いた絵図又は／及び文字のプリント方法（以下、単に絵図又は／及び文字のプリントという）を提供することを目的としている。
【０００９】
【課題を解決するための手段】
このような目的を達成するために、本発明のインクジェットプリンタは、
プラテン上に搭載されたメディア上方をプラテン表面とほぼ平行なＸ−Ｙ方向に相対的に移動させるインクジェットヘッドから噴射させてプラテン上に搭載されたメディア表面にドット状に着弾させるＵＶインク滴にＵＶ照射手段により紫外線を照射して、そのＵＶインク滴をメディア表面で硬化させるインクジェットプリンタであって、
前記インクジェットヘッドが、ＵＶプロセスカラーインク滴を噴射させる絵図又は／及び文字プリント用のインクジェットヘッドと、ＵＶプライマー材用のインク滴を噴射させる下塗り層プリント用のインクジェットヘッドとを共に備えていることを特徴としている。
【００１０】
また、本発明の絵図又は／及び文字のプリント方法は、
本発明のインクジェットプリンタを用いたプリント方法であって、そのプラテン上に搭載されたメディア上方をＸ−Ｙ方向に相対的に移動させる下塗り層プリント用のインクジェットヘッドから噴射させてプラテン上に搭載されたメディア表面に着弾させるＵＶプライマー材用のインク滴にＵＶ照射手段により紫外線を照射して、そのインク滴を硬化させることにより、そのメディア表面に複数のＵＶインクのドットの配列からなる下塗り層をプリントする第１ステップと、そのプラテン上に搭載されたメディアの前記下塗り層がプリントされた部分上方をＸ−Ｙ方向に相対的に移動させる絵図又は／及び文字プリント用のインクジェットヘッドから噴射させてプラテン上に搭載されたメディアの前記下塗り層上に着弾させるＵＶプロセスカラーインク滴にＵＶ照射手段により紫外線を照射して、そのインク滴を硬化させることにより、そのメディアの下塗り層表面に複数のＵＶプロセスカラーインクのドットの配列からなる絵図又は／及び文字をプリントする第２ステップとを含むことを特徴としている。
【００１１】
この本発明のインクジェットプリンタを用いた本発明の絵図又は／及び文字のプリント方法においては、
その第１ステップにおいて、プラテン上に搭載されたメディア上方を下塗り層プリント用のインクジェットヘッドを、プラテン表面とほぼ平行なＸ−Ｙ方向に相対的に移動させることができる。そして、そのメディア上方を移動させる下塗り層プリント用のインクジェットヘッドから噴射させてプラテン上に搭載されたメディア表面に着弾させるＵＶプライマー材用のインク滴にＵＶ照射手段により紫外線を照射して、そのＵＶプライマー材用のインク滴をメディア表面で硬化させることができる。そして、メディア表面に、複数のＵＶプライマー材用のインクのドットの配列からなる、下塗り層をプリントできる。
次いで、その第２ステップにおいて、プラテン上に搭載されたメディアの下塗り層がプリントされた部分上方を、絵図又は／及び文字プリント用のインクジェットヘッドプラテンを、プラテン表面とほぼ平行なＸ−Ｙ方向に相対的に移動させることができる。そして、そのメディアの下塗り層がプリントされた部分上方を移動させる絵図又は／及び文字プリント用のインクジェットヘッドから噴射させてメディアの下塗り層上に着弾させたＵＶプロセスカラーインク滴にＵＶ照射手段により紫外線を照射して、そのＵＶプロセスカラーインク滴をメディアの下塗り層上で硬化させることができる。そして、そのメディアの下塗り層表面に複数のＵＶプロセスカラーインクのドットの配列からなる絵図又は／及び文字をプリントできる。
【００１２】
その際には、絵図又は／及び文字プリント用のインクジェットヘッドから噴射させて下塗り層上に初回に直接に着弾させるＵＶプロセスカラーインク滴の径が大きくなったり小さくなったりするのを、そのＵＶインクに対しての濡れ性を一定に保持するための下塗り層により、防ぐことができる。そして、そのメディアの下塗り層上に初回に着弾させたＵＶプロセスカラーインク滴の径を、常に一定の所望径とすることができる。
その結果、その下塗り層上に初回に着弾させた所定色のＵＶプロセスカラーインク滴上に次回以降に順に重ねて着弾させる他色のＵＶプロセスカラーインク滴により、その下塗り層表面に形成されるＵＶインクのドットの色を、その周辺がぼやける等していない、所望色とすることができる。そして、そのメディアの下塗り層上に順に重ねて着弾させる１色以上の異なる色のＵＶプロセスカラーインク滴により、そのメディアの下塗り層表面に複数のＵＶプロセスカラーインクのドットの配列からなるぼやけた箇所のない所望色の絵図又は／及び文字を常に的確にプリントすることが可能となる。
【００１３】
本発明のインクジェットプリンタにおいては、インクジェットプリンタが、搬送手段によりメディアをプラテン上をＸ方向に搬送したり、インクジェットヘッドをプラテン上方をＹ方向に走行させたりすることにより、前記インクジェットヘッドをプラテン上に搭載されたメディア上方をＸ−Ｙ方向に相対的に移動させる構造に構成され、
絵図又は／及び文字プリント用のインクジェットヘッドと、下塗り層プリント用のインクジェットヘッドとが、一体となって、プラテン上に搭載されたメディア上方をプラテン表面とほぼ平行なＸ−Ｙ方向に相対的に移動する構造に構成されたものとすると良い。
そうした場合には、プラテン上に搭載されたメディア上方を一体になってプラテン表面とほぼ平行なＸ−Ｙ方向に相対的に移動する絵図又は／及び文字プリント用のインクジェットヘッドと下塗り層プリント用のインクジェットヘッドとのうちの、一方の下塗り層プリント用のインクジェットヘッドからＵＶプライマー材用のインク滴を噴射させて、そのＵＶプライマー材用のインク滴をメディア表面に着弾させることができる。それと共に、そのＵＶプライマー材用のインク滴にＵＶ照射手段により紫外線を照射して、そのＵＶインク滴をメディア表面で硬化させることができる。そして、メディア表面に、複数のＵＶプライマー材用のインクのドットの配列からなる下塗り層をプリントできる。そして、本発明の絵図又は／及び文字のプリント方法の第１ステップを行うことができる。
次いで、プラテン上に搭載されたメディアの前記下塗り層がプリントされた部分上方を一体になってプラテン表面とほぼ平行なＸ−Ｙ方向に相対的に移動する絵図又は／及び文字プリント用のインクジェットヘッドと下塗り層プリント用のインクジェットヘッドとのうちの、他方の絵図又は／及び文字プリント用のインクジェットヘッドから１色以上のＵＶプロセスカラーインク滴を順に噴射させて、その１色以上のＵＶプロセスカラーインク滴をメディアの下塗り層上にドット状に順に重ねて着弾させることができる。それと共に、その１色以上のＵＶプロセスカラーインク滴にＵＶ照射手段により紫外線を照射して、その１色以上のＵＶインク滴を硬化させることができる。そして、そのメディアの下塗り層表面に、１色以上の複数のＵＶプロセスカラーインクのドットが重なり合って配列された様々の色の絵図又は／及び文字をプリントできる。そして、本発明の絵図又は／及び文字のプリント方法の第２ステップを行うことができる。
【００１４】
本発明のインクジェットプリンタにおいては、インクジェットプリンタが、搬送手段によりメディアをプラテン上をＸ方向に搬送したり、インクジェットヘッドをプラテン上方をＹ方向に走行させたりすることにより、前記インクジェットヘッドをプラテン上に搭載されたメディア上方をＸ−Ｙ方向に相対的に移動させる構造に構成され、
絵図又は／及び文字プリント用のインクジェットヘッドと、下塗り層プリント用のインクジェットヘッドとが、それぞれ別個に独立して、プラテン上に搭載されたメディア上方をプラテン表面とほぼ平行なＸ−Ｙ方向に相対的に移動する構造に構成されたものとしても良い。
そうした場合には、絵図又は／及び文字プリント用のインクジェットヘッドとは別体となって独立して、プラテン上に搭載されたメディア上方をプラテン表面とほぼ平行なＸ−Ｙ方向に相対的に移動する下塗り層プリント用のインクジェットヘッドからＵＶプライマー材用のインク滴を噴射させて、そのＵＶプライマー材用のインク滴をメディア表面に着弾させることができる。それと共に、そのＵＶプライマー材用のインク滴にＵＶ照射手段により紫外線を照射して、そのＵＶインク滴を硬化させることができる。そして、メディア表面に、複数のＵＶプライマー材用のインクのドットの配列からなる下塗り層をプリントできる。そして、本発明の絵図又は／及び文字のプリント方法の第１ステップを行うことができる。
次いで、下塗り層プリント用のインクジェットヘッドとは別体となって独立して、プラテン上に搭載されたメディアの前記下塗り層がプリントされた部分上方をプラテン表面とほぼ平行なＸ−Ｙ方向に相対的に移動する絵図又は／及び文字プリント用のインクジェットヘッドから１色以上のＵＶプロセスカラーインク滴を順に噴射させて、その１色以上のＵＶプロセスカラーインク滴をメディアの下塗り層上にドット状に順に重ねて着弾させることができる。それと共に、その１色以上のＵＶプロセスカラーインク滴にＵＶ照射手段により紫外線を照射して、その１色以上のＵＶインク滴を硬化させることができる。そして、そのメディアの下塗り層表面に、１色以上の複数のＵＶプロセスカラーインクのドットが重なり合って配列された様々の色の絵図又は／及び文字をプリントできる。そして、本発明の絵図又は／及び文字のプリント方法の第２ステップを行うことができる。
その際には、搬送手段により、メディアを下塗り層プリント用のインクジェットヘッド下方から絵図又は／及び文字プリント用のインクジェットヘッド下方に向けてプラテン上をＸ方向に搬送できる。そして、下塗り層プリント用のインクジェットヘッドにより、複数のＵＶプライマー材用のインクのドットの配列からなる下塗り層がプリントされたメディア部分を、絵図又は／及び文字プリント用のインクジェットヘッド下方に送り込むことができる。そして、そのメディアにプリントされた下塗り層表面に、絵図又は／及び文字プリント用のインクジェットヘッドにより、絵図又は／及び文字をプリントすることができる。
その結果、搬送手段により、メディアを下塗り層プリント用のインクジェットヘッド下方から絵図又は／及び文字プリント用のインクジェットヘッド下方に向けてプラテン上を往路方向のＸ方向に搬送するのみで、メディアをプラテン上をＸ方向に繰り返し往復移動させることなく、メディアにプリントされた下塗り層表面に絵図又は／及び文字を連続して迅速にプリント可能となる。
【００１５】
【発明の実施の形態】
図１ないし図５は本発明のインクジェットプリンタの好適な実施の形態を示し、図１ないし図５はその概略構造を示す平面図である。以下に、これらのインクジェットプリンタを説明する。
【００１６】
図１ないし図５に示したインクジェットプリンタは、
プラテン２０上方をプラテン２０表面とほぼ平行なＸ−Ｙ方向に相対的に移動させるインクジェットヘッド３０下面に並ぶノズル３２からＵＶインクを噴射させて、そのＵＶインク滴をプラテン２０上に搭載されたメディア１０表面にドット状に着弾させると共に、そのＵＶインク滴にＵＶ照射手段６０により紫外線を照射して、そのＵＶインク滴をメディア１０表面で硬化させる、前述の図７と図８に示したプリンタと同様な構造のプリンタであって、そのインクジェットヘッド３０に、Ｙ、Ｍ、Ｃ、Ｋ等の色のＵＶプロセスカラーインク滴を噴射させる絵図又は／及び文字プリント用のインクジェットヘッド３０と、Ｗ色又は／及び透明（ＣＬ）色のＵＶプライマー材用のインク滴を噴射させる下塗り層プリント用のインクジェットヘッド３００とが共に備えられている。
【００１７】
そのうち、図１ないし図３に示したインクジェットプリンタでは、絵図又は／及び文字プリント用のインクジェットヘッド３０と、下塗り層プリント用のインクジェットヘッド３００とが、一体に走行可能に備えられている。
具体的には、図１に示したプリンタでは、Ｙ、Ｍ、Ｃ、Ｋの基本色のＵＶプロセスカラーインク滴を噴射させる複数の絵図又は／及び文字プリント用のインクジェットヘッド３０と、Ｗ色及び透明（ＣＬ）色のＵＶプライマー材用のインク滴を噴射させる下塗り層プリント用のインクジェットヘッド３００とが、それらのインクジェットヘッド３０、３００を走行させるＹ方向に一列に並べて、Ｙ方向に一体に走行可能に備えられている。
また、図２に示したプリンタでは、Ｙ、Ｍ、Ｃ、Ｋの基本色のＵＶプロセスカラーインク滴を噴射させる複数の絵図又は／及び文字プリント用のインクジェットヘッド３０と、Ｗ色又は透明（ＣＬ）色のＵＶプライマー材用のインク滴を噴射させる下塗り層プリント用のインクジェットヘッド３００とが、搬送手段４０によりプラテン２０上を搬送されるメディア１０の搬送方向のＸ方向に互いにずらせて、Ｙ方向に一体に走行可能に備えられている。
また、図３に示したインクジェットプリンタでは、Ｙ、Ｍ、Ｃ、Ｋの基本色のＵＶプロセスカラーインク滴を噴射させる複数の絵図又は／及び文字プリント用のインクジェットヘッド３０並びにＷ色のＵＶインク滴を噴射させる絵図又は／及び文字プリント用のインクジェットヘッド３０と、透明（ＣＬ）色のＵＶプライマー材用のインク滴を噴射させる下塗り層プリント用のインクジェットヘッド３００とが、搬送手段４０によりプラテン２０上を搬送されるメディア１０の搬送方向のＸ方向に互いにずらせて、Ｙ方向に一体に走行可能に備えられている。
なお、図１に示したプリンタにおいては、下塗り層プリント用のインクジェットヘッド３００は、Ｗ色又は透明（ＣＬ）色のいずれか一方のＵＶプライマー材用のインク滴を噴射させる下塗り層プリント用のインクジェットヘッド３００のみを備えた構造とすることも、可能である。また、図１に示したプリンタのように、Ｗ色及び透明（ＣＬ）色のＵＶプライマー材用のインク滴を噴射させるインクジェットヘッド３００が共に並べて備えられている場合には、そのＷ色のＵＶプライマー材用のインク滴を噴射させるインクジェットヘッド３００は、Ｗ色のＵＶインク滴を噴射させる絵図又は／及び文字プリント用のインクジェットヘッド３０に使用することも、可能である。
【００１８】
それに対して、図４と図５に示したインクジェットプリンタでは、絵図又は／及び文字プリント用のインクジェットヘッド３０と、下塗り層プリント用のインクジェットヘッド３００とが、別々に走行可能に分離させて備えられている。
具体的には、図４に示したプリンタでは、Ｙ、Ｍ、Ｃ、Ｋの基本色のＵＶプロセスカラーインク滴を噴射させる複数の絵図又は／及び文字プリント用のインクジェットヘッド３０と、Ｗ色又は透明（ＣＬ）色のＵＶプライマー材用のインク滴を噴射させる下塗り層プリント用のインクジェットヘッド３００とが、搬送手段４０によりプラテン２０上を搬送されるメディア１０の搬送方向のＸ方向に互いにずらせて、別々にＹ方向に走行可能に分離させて備えられている。
また、図５に示したインクジェットプリンタでは、Ｙ、Ｍ、Ｃ、Ｋの基本色のＵＶプロセスカラーインク滴を噴射させる複数の絵図又は／及び文字プリント用のインクジェットヘッド３０並びにＷ色のＵＶインク滴を噴射させる絵図又は／及び文字プリント用のインクジェットヘッド３０と、透明（ＣＬ）色のＵＶプライマー材用のインク滴を噴射させる下塗り層プリント用のインクジェットヘッド３００とが、搬送手段４０によりプラテン２０上を搬送されるメディア１０の搬送方向のＸ方向に互いにずらせて、別々にＹ方向に走行可能に分離させて備えられている。
【００１９】
搬送手段４０は、図１ないし図５に示したいずれのプリンタ共、そのプラテン２０上に搭載されたメディア１０を、下塗り層プリント用のインクジェットヘッド３００下方から絵図又は／及び文字プリント用のインクジェットヘッド３０下方に向けてプラテン２０上を往路方向（図の矢印方向）のＸ方向に搬送する構造に構成されている。
【００２０】
図１ないし図５に示したインクジェットプリンタのその他の部分は、前述の図７と図８に示したインクジェットプリンタと同様に構成されている。
次に、この図１ないし図５に示したインクジェットプリンタを用いた、本発明の絵図又は／及び文字のプリント方法の好適な実施の形態を説明する。
【００２１】
この図１ないし図５に示したインクジェットプリンタを用いたプリント方法は、次の第１ステップと第２ステップとからなっており、
その１ステップにおいて、搬送手段４０等によりプラテン２０上に搭載されたメディア１０上方をプラテン２０表面とほぼ平行なＸ−Ｙ方向に相対的に移動させる下塗り層プリント用のインクジェットヘッド３００下面に並ぶノズル（図示せず）から、Ｗ色又は透明（ＣＬ）色をしたＵＶプライマー材用のインク滴を噴射させて、そのＵＶプライマー材用のインク滴をプラテン２０上に搭載されたインク非吸収性のメディア１０表面にドット状に着弾させている。それと共に、そのＵＶプライマー材用のインク滴にＵＶ照射手段６０により紫外線を照射して、そのＵＶプライマー材用のインク滴を硬化させている。そして、その絵図又は／及び文字がプリントされるメディア１０表面に、図６に示したように、複数のＵＶプライマー材用のインクのドットの配列からなる、Ｗ色又は透明（ＣＬ）色の下塗り層８０をプリントしている。
次いで、その第２ステップにおいて、搬送手段４０等によりプラテン２０上に搭載されたメディア１０の下塗り層８０がプリントされた部分上方をプラテン２０表面とほぼ平行なＸ−Ｙ方向に相対的に移動させる絵図又は／及び文字プリント用のインクジェットヘッド３０下面に並ぶノズル３２から、Ｙ、Ｍ，Ｃ、Ｋの基本色又はそれに加えてＷ色のうちの１色以上のＵＶプロセスカラーインク滴７０、７２を順に噴射させている。そして、図６に示したように、そのＵＶプロセスカラーインク滴７０、７２をメディア１０の下塗り層８０上にドット状に順に重ねて着弾させている。それと共に、そのＵＶプロセスカラーインク滴７０、７２にＵＶ照射手段６０により紫外線を照射して、そのＵＶプロセスカラーインク滴７０、７２を硬化させている。そして、そのメディア１０の下塗り層８０表面にＹ、Ｍ，Ｃ、Ｋの基本色又はそれに加えてＷ色のいずれか１色以上の複数のＵＶプロセスカラーインクのドットが重なり合って配列されてなる、様々の色の絵図又は／及び文字をプリントしている。
【００２２】
その際には、絵図又は／及び文字プリント用のインクジェットヘッド３０下面に並ぶノズル３２から噴射させて、メディア１０の下塗り層８０上に初回に直接に着弾させるＵＶプロセスカラーインク滴７０の径が大きくなったり小さくなったりするのを、そのＵＶプロセスカラーインクに対しての濡れ性を一定に保持するための下塗り層８０により、防いでいる。そして、そのメディア１０の下塗り層８０上に初回に着弾させるＵＶプロセスカラーインク滴７０の径を、常に一定の所望径に保つことができるようにしている。そして、そのメディア１０の下塗り層８０上に初回に着弾させた所定色のＵＶプロセスカラーインク滴７０上に次回以降に順に重ねて着弾させる他色のＵＶプロセスカラーインク滴７２により、そのメディア１０の下塗り層８０表面に形成するＵＶプロセスカラーインクのドットを、その周辺がぼやける等していない、所望色とすることができるようにしている。そして、そのメディア１０の下塗り層８０上に順に重ねて着弾させて硬化させたＹ、Ｍ，Ｃ、Ｋ又はそれに加えてＷのいずれか１色以上のＵＶプロセスカラーインク滴７０、７２により、１色以上の複数のＵＶプロセスカラーインクのドットの配列からなる絵図又は／及び文字をメディア１０の下塗り層８０表面にぼやけた箇所のないように常に的確に所望色にプリントできるようにしている。
【００２３】
また、図１ないし図３に示したインクジェットプリンタを用いた絵図又は／及び文字のプリント方法においては、その第１ステップにおいて、プラテン２０上に搭載されたメディア１０上方を、絵図又は／及び文字プリント用のインクジェットヘッド３０と、下塗り層プリント用のインクジェットヘッド３００とを、搬送手段４０などを用いて、一体に、プラテン２０表面とほぼ平行なＸ−Ｙ方向に相対的に移動させている。そして、その一方の下塗り層プリント用のインクジェットヘッド３００下面のノズルからＵＶプライマー材用のインク滴を噴射させて、そのＵＶインク滴をメディア１０表面にドット状に着弾させている。それと共に、そのＵＶプライマー材用のインク滴にＵＶ照射手段６０により紫外線を照射して、そのＵＶインク滴を硬化させている。そして、絵図又は／及び文字がプリントされるメディア１０表面に、Ｗ色又は透明色の複数のＵＶプライマー材用のインクのドットの配列からなる下塗り層をプリントしている。
次いで、その第２ステップにおいて、プラテン２０上に搭載されたメディア１０の前記下塗り層８０がプリントされた部分上方を、絵図又は／及び文字プリント用のインクジェットヘッド３０と、下塗り層プリント用のインクジェットヘッド３００とを、搬送手段４０などを用いて、一体に、プラテン２０表面とほぼ平行なＸ−Ｙ方向に相対的に移動させる。そして、その他方の絵図又は／及び文字プリント用のインクジェットヘッド３０下面のノズル３２から１色以上のＵＶプロセスカラーインク滴を順に噴射させて、それらの１色以上のＵＶインク滴をメディア１０の下塗り層８０上にドット状に順に重ねて着弾させている。それと共に、それらのＵＶプロセスカラーインク滴にＵＶ照射手段により紫外線を照射して、それらのＵＶインク滴を硬化させている。そして、そのメディア１０にプリントされた下塗り層８０表面に、Ｙ、Ｍ，Ｃ、Ｋ又はそれに加えてＷのいずれか１色以上の複数のＵＶプロセスカラーインクのドットが重なり合って配列されてなる様々の色の絵図又は／及び文字をプリントしている。
【００２４】
それに対して、図４及び図５に示したインクジェットプリンタを用いた絵図又は／及び文字のプリント方法においては、その第１ステップにおいて、プラテン２０上に搭載されたメディア１０上方を、下塗り層プリント用のインクジェットヘッド３００を、搬送手段４０などを用いて、絵図又は／及び文字プリント用のインクジェットヘッド３０とは別に独立させて、プラテン２０表面とほぼ平行なＸ−Ｙ方向に相対的に移動させている。そして、その下塗り層プリント用のインクジェットヘッド３００下面のノズルからＵＶプライマー材用のインク滴を噴射させて、そのＵＶインク滴をメディア表面にドット状に着弾させている。それと共に、そのＵＶプライマー材用のインク滴にＵＶ照射手段６０により紫外線を照射して、そのＵＶインク滴を硬化させている。そして、絵図又は／及び文字がプリントされるメディア１０表面に、複数のＵＶプライマー材用のインクのドットの配列からなる下塗り層８０をプリントしている。
次いで、その第２ステップにおいて、プラテン２０上に搭載されたメディア１０の前記下塗り層８０がプリントされた部分上方を、絵図又は／及び文字プリント用のインクジェットヘッド３０を、搬送手段４０などを用いて、下塗り層プリント用のインクジェットヘッド３００とは別に独立させて、プラテン２０表面とほぼ平行なＸ−Ｙ方向に相対的に移動させている。そして、その絵図又は／及び文字プリント用のインクジェットヘッド３０下面のノズルから１色以上のＵＶプロセスカラーインク滴を噴射させて、その１色以上のＵＶインク滴をメディア１０の下塗り層８０上にドット状に順に重ねて着弾させている。それと共に、それらのＵＶプロセスカラーインク滴にＵＶ照射手段６０により紫外線を照射して、それらのＵＶインク滴を硬化させている。そして、そのメディア１０にプリントされた下塗り層８０表面に、１色以上の複数のＵＶプライマー材用のインクのドットが重なり合って配列されてなる様々の色の絵図又は／及び文字をプリントしている。
その際には、搬送手段４０を用いて、メディア１０を下塗り層プリント用のインクジェットヘッド３００下方から絵図又は／及び文字プリント用のインクジェットヘッド３０下方に向けてプラテン２０上をＸ方向に搬送している。そして、下塗り層プリント用のインクジェットヘッド３００により、複数のＵＶプライマー材用のインクのドットの配列からなる下塗り層８０がプリントされたメディア１０部分を、絵図又は／及び文字プリント用のインクジェットヘッド３０下方に送り込むようにしている。そして、そのメディアにプリントされた下塗り層８０表面に、絵図又は／及び文字プリント用のインクジェットヘッド３０により、絵図又は／及び文字をプリントしている。
そして、搬送手段４０により、メディア１０を下塗り層プリント用のインクジェットヘッド３００下方から絵図又は／及び文字プリント用のインクジェットヘッド３０下方に向けてプラテン２０上を往路方向のＸ方向に搬送するのみで、メディア１０をプラテン２０上をＸ方向に繰り返し往復移動させることなく、メディア１０にプリントされた下塗り層８０表面に絵図又は／及び文字を連続して迅速にプリントできるようにしている。
【００２５】
図１ないし図５に示したインクジェットプリンタにおいて、ＵＶ照射手段６０は、インクジェットヘッド３０又は／及び３００から分離させて、それらのインクジェットヘッド３０又は／及び３００とは別個に独立させて、プラテン２０上に搭載されたメディア１０上方をＸ−Ｙ方向に相対的移動させる構造としても良い。そして、そのメディア１０上方をＸ−Ｙ方向に相対的に移動させるＵＶ照射手段６０により、メディア１０表面や下塗り層８０上に着弾させるＵＶインク滴に紫外線を照射して、そのＵＶインク滴を硬化させる構造としても良い。
【００２６】
本発明のインクジェットプリンタは、フラットなベッドにメディアを固定した状態で搭載して、そのメディア上方をインクジェットヘッドをＸ−Ｙ方向に移動させる、いわゆるフラットベッドタイプのインクジェットプリンタにも、利用可能である。
【００２７】
【発明の効果】
以上説明したように、本発明のインクジェットプリンタによれば、インク非吸収性のメディア表面に、所望小径の１色以上のＵＶプロセスカラーインクのドットを順に重ねて形成できる。そして、そのメディア表面に、ぼやけた箇所のない高品質の所望色の絵図又は／及び文字をプリント可能となる。
【図面の簡単な説明】
【図１】本発明のインクジェットプリンタの概略構造を示す平面図である。
【図２】本発明のインクジェットプリンタの概略構造を示す平面図である。
【図３】本発明のインクジェットプリンタの概略構造を示す平面図である。
【図４】本発明のインクジェットプリンタの概略構造を示す平面図である。
【図５】本発明のインクジェットプリンタの概略構造を示す平面図である。
【図６】本発明の絵図又は／及び文字のプリント方法の説明図である。
【図７】インクジェットプリンタの概略構造を示す断面図である。
【図８】インクジェットプリンタの概略構造を示す平面図である。
【図９】メディア表面に着弾させたＵＶインクの側面図である。
【図１０】メディア表面に着弾させたＵＶインクの側面図である。
【符号の説明】
１０  メディア
２０  プラテン
３０  インクジェットヘッド
３２  インクジェットヘッド下面に並ぶノズル
４０  搬送手段
６０  ＵＶ照射手段
７０、７２  ＵＶインク滴
８０  下塗り層
３００  インクジェットヘッド
【図１】
2005007577.tif 000003
【図２】
2005007577.tif 000004
【図３】
2005007577.tif 000005
【図４】
2005007577.tif 000006
【図５】
2005007577.tif 000007
【図６】
2005007577.tif 000008
【図７】
2005007577.tif 000009
【図８】
2005007577.tif 000010
【図９】
2005007577.tif 000011
【図１０】
2005007577.tif 000012